(57)【要約】本発明は、化粧料を外部にポンピングさせるポンプが備えられた化粧品容器において、前記ポンプの部品のうちの一部を環境にやさしい素材であるポリケトン（Ｐｏｌｙｋｅｔｏｎｅ）材質で形成することで、既存の材質として使用されていたポリアセタール（ＰＯＭ：Ｐｏｌｙｏｘｙｍｅｔｈｙｌｅｎ、Ｐｏｌｙａｃｅｔａｌ）の原料であるホルムアルデヒド（ｆｏｒｍａｌｄｅｈｙｄｅ）から発生される悪臭及び有害性の問題を除去し、使用者に不快感または刺激を与えなくなることによって、使用者が安全に使用することができるようにした、ポリケトン材質の部品を有するポンプが装着された化粧品容器に関する。
2021506547.tif 000002
【特許請求の範囲】
【請求項１】
化粧料を外部へとポンピングするポンプが備えられた化粧品容器において、
前記ポンプは、一方の側に化粧料吸入口が形成されたハウジングと、前記ハウジングの化粧料吸入口を開閉する吸入バルブと、前記ハウジングに固定されて組付けられる固定ブッシュと、前記ハウジングの内側に備えられるピストン支持部と、前記ピストン支持部の外側に嵌め付けられてハウジングの内側面に密着されるピストンと、前記ピストン支持部に組付けられるステムと、前記ステムを弾力支持する弾性部材とから構成され、
前記ステムは、ポリケトン（Ｐｏｌｙｋｅｔｏｎｅ）材質で形成されることを特徴とする、ポリケトン材質の部品を有するポンプが装着された化粧品容器。
【請求項２】
化粧料を外部へとポンピングするポンプが備えられた化粧品容器において、
前記ポンプは、一方の側に化粧料吸入口が形成されたハウジングと、前記ハウジングの化粧料吸入口を開閉する吸入バルブと、前記ハウジングに固定されて組付けられる固定ブッシュと、前記ハウジングの内側に備えられるピストン支持部と、前記ピストン支持部の外側に嵌め付けられてハウジングの内側面に密着されるピストンと、前記ピストン支持部に組付けられるステムと、前記ステムを弾力支持する弾性部材とから構成され、
前記ポンプのピストン支持部は、ポリケトン（Ｐｏｌｙｋｅｔｏｎｅ）材質で形成されることを特徴とする、ポリケトン材質の部品を有するポンプが装着された化粧品容器。
【請求項３】
前記ポンプは、容器本体の一方の側に備えられ、押しボタンによって押圧されることを特徴とする、請求項１または請求項２に記載のポリケトン材質の部品を有するポンプが装着された化粧品容器。
【請求項４】
前記ポンプの外側にはポンプキャップがさらに備えられることを特徴とする、請求項１または請求項２に記載のポリケトン材質の部品を有するポンプが装着された化粧品容器。
【請求項５】
前記ポンプの固定ブッシュは、ポリケトン（Ｐｏｌｙｋｅｔｏｎｅ）材質で形成されることを特徴とする、請求項１または請求項２に記載のポリケトン材質の部品を有するポンプが装着された化粧品容器。
【請求項６】
前記ポンプのハウジングは、ポリプロピレン（ｐｏｌｙｐｒｏｐｙｌｅｎｅ）材質で形成されることを特徴とする、請求項５に記載のポリケトン材質の部品を有するポンプが装着された化粧品容器。
【請求項７】
前記ポンプの吸入バルブとピストンは、低密度ポリエチレン（ＬＤＰＥ：Ｌｏｗ−ｄｅｎｓｉｔｙ  ｐｏｌｙｅｔｈｙｌｅｎｅ）材質で形成されることを特徴とする、請求項５に記載のポリケトン材質の部品を有するポンプが装着された化粧品容器。
【請求項８】
前記押しボタンは、ポリプロピレン（ｐｏｌｙｐｒｏｐｙｌｅｎｅ）材質で形成されることを特徴とする、請求項５に記載のポリケトン材質の部品を有するポンプが装着された化粧品容器。
【請求項９】
前記ポンプのステムは、固定ブッシュの内周面に密着された状態で上下に移動することを特徴とする、請求項１または請求項２に記載のポリケトン材質の部品を有するポンプが装着された化粧品容器。
【発明の詳細な説明】
【技術分野】
【０００１】
本発明は、ポリケトン材質の部品を有するポンプが装着された化粧品容器に関し、さらに詳細には、化粧料を外部にポンピングさせるポンプが備えられた化粧品容器において、前記ポンプの部品のうちの一部を、環境にやさしい素材であるポリケトン（Ｐｏｌｙｋｅｔｏｎｅ）材質で形成することで、既存の材質として使用されたポリアセタール（ＰＯＭ：Ｐｏｌｙｏｘｙｍｅｔｈｙｌｅｎｅ、Ｐｏｌｙａｃｅｔａｌ）の原料であるホルムアルデヒド（ｆｏｒｍａｌｄｅｈｙｄｅ）から発生される悪臭及び有害性の問題を除去し、使用者に不快感または刺激を与えなくなることによって、使用者が安全に使用することができるようにした、ポリケトン材質の部品を有するポンプが装着された化粧品容器に関する。
【背景技術】
【０００２】
化粧品は、人体を清潔にしたり美化して魅力を高め、容姿を明るく変化させたり、肌または毛髪の健康を維持または増進するために人体に使用される物品をいう。
【０００３】
上記化粧品を使用目的に応じて分類してみると、肌の表面の皮脂、老廃物及び汚染物質を除去するために使用される洗顔化粧品と、肌に水分と油分を適切に供給するために使用される基礎化粧品と、美しい色感を表現するために使用される色調化粧品と、毛髪または頭皮の異物を除去するとともに、毛髪を保護して栄養を供給するために使用される毛髪化粧品と、香料をアルコールなどに溶かして他人に香りを漂わせるために使用される香水などに分類される。
【０００４】
上記化粧品が開発されることによって、化粧料を入れることができる多様な化粧品容器の開発も必要となった。
【０００５】
一般的に、化粧品のうちローション、クリーム、ゲル、シャンプー、リンスなどのように液状、ゲル状の形態を有している化粧料を保管して使用するのに、従来には単に開閉機能を有している容器を使用することで前記容器から化粧料をヘラまたは指で取って肌に塗布して使用した。
【０００６】
しかし、上記従来の化粧品容器は、吐出される化粧料の量を常に一定に調節することができず化粧料が浪費されるという問題点があった。
【０００７】
上記のような問題点を解決するために、図１に示したように、韓国登録特許第１０−１３７６０５０号に化粧品用ポンプが開示されたが、この従来の化粧品用ポンプは、ポンプの外観を構成するハウジング１と、前記ハウジング１の上部に固定されて組付けられる固定ブッシュ２と、前記ハウジング１内で垂直移動するピストン支持部３と、前記ピストン支持部３の外側に嵌め付けられてピストン支持部３と共に垂直移動するピストン４と、前記ピストン支持部３の上部に組付けられてボタン７によって押されるステム５と、前記ステム５を弾力支持するバネ６とから構成されて、前記固定ブッシュ２とピストン支持部３及びステム５は、一般に、再生使用が可能で原価競争力のあるポリアセタール（ＰＯＭ：Ｐｏｌｙｏｘｙｍｅｔｈｙｌｅｎ、Ｐｏｌｙａｃｅｔａｌ）の材質で形成される。
【０００８】
しかし、前記従来技術のポンプの部品のうち、固定ブッシュ２、ピストン支持部３、及びステム５が、ポリアセタール（ＰＯＭ：Ｐｏｌｙｏｘｙｍｅｔｈｙｌｅｎ、Ｐｏｌｙａｃｅｔａｌ）の材質で形成されるため、長期間の使用時に部品間の摩擦によって摩耗し、これにより、ポンプ部品同士の間の密閉力が減小し、圧縮力が低下して、定量排出が困難になるという問題点があった。
【０００９】
また、上記従来技術のポンプ材質に使用されるポリアセタール（ＰＯＭ：Ｐｏｌｙｏｘｙｍｅｔｈｙｌｅｎ、Ｐｏｌｙａｃｅｔａｌ）は、原料にホルムアルデヒド（ｆｏｒｍａｌｄｅｈｙｄｅ）が含まれていて有害性の問題が生じ、前記ホルムアルデヒド（ｆｏｒｍａｌｄｅｈｙｄｅ）によって悪臭が発生し化学品である化粧料と接触するので、化粧品容器を長期間使用せずにいてから使用する場合、ホルムアルデヒド（ｆｏｒｍａｌｄｅｈｙｄｅ）の悪臭が化粧料と共に排出されて、使用者に不快感または刺激を与えるという問題点があった。
【００１０】
したがって、現在まで化粧品ポンプにおける一部の部品の材質に使用されていたポリアセタール（ＰＯＭ：Ｐｏｌｙｏｘｙｍｅｔｈｙｌｅｎ、Ｐｏｌｙａｃｅｔａｌ）を代替することができるとともに、耐磨耗性に優れ、有害性がなく、悪臭が発生しない材質の合成樹脂材を見出すことが急務であるのが実情であった。
【発明の概要】
【発明が解決しようとする課題】
【００１１】
本発明は、上記のような問題点を解決するために案出されたものであって、化粧料を外部にポンピングさせるポンプが備えられた化粧品容器において、前記ポンプの部品のうちの一部を、環境にやさしい素材であるポリケトン（Ｐｏｌｙｋｅｔｏｎｅ）の材質で形成することで、既存の材質として使用されていたポリアセタール（ＰＯＭ：Ｐｏｌｙｏｘｙｍｅｔｈｙｌｅｎ、Ｐｏｌｙａｃｅｔａｌ）の原料であるホルムアルデヒド（ｆｏｒｍａｌｄｅｈｙｄｅ）から発生する悪臭及び有害性の問題を除去し、使用者に不快感または刺激を与えなくなることによって、使用者が安全に使用することができるようにした、ポリケトン材質の部品を有するポンプが装着された化粧品容器を提供することに目的がある。
【００１２】
また、前記ポンプの一部の部品のうち、ステムと固定ブッシュとピストン支持部とを、耐磨耗性が既存の材質よりも優れたポリケトン（Ｐｏｌｙｋｅｔｏｎｅ）の材質で形成することで、前記ポンプを長期間使用してもポンプの部品間の摩擦によって摩耗されることを防止するので、ポンプの部品間に密閉力と圧縮力が安定して維持されて持続的に化粧料が定量排出され、再使用が可能な、ポリケトン材質の部品を有するポンプが装着された化粧品容器を提供することに目的がある。
【課題を解決するための手段】
【００１３】
本発明は、化粧料を外部へとポンピングするポンプが備えられた化粧品容器において、
前記ポンプは、一方の側に化粧料吸入口が形成されたハウジングと、前記ハウジングの化粧料吸入口を開閉する吸入バルブと、前記ハウジングに固定されて組付けられる固定ブッシュと、前記ハウジングの内側に備えられるピストン支持部と、前記ピストン支持部の外側に嵌め付けられてハウジングの内側面に密着されるピストンと、前記ピストン支持部に組付けられるステムと、前記ステムを弾力支持する弾性部材とから構成され、
前記ステムは、ポリケトン（Ｐｏｌｙｋｅｔｏｎｅ）材質で形成されることを特徴とする、ポリケトン材質の部品を有するポンプが装着された化粧品容器を提供する。
【００１４】
本発明は、化粧料を外部へとポンピングするポンプが備えられた化粧品容器において、
前記ポンプは、一方の側に化粧料吸入口が形成されたハウジングと、前記ハウジングの化粧料吸入口を開閉する吸入バルブと、前記ハウジングに固定されて組付けられる固定ブッシュと、前記ハウジングの内側に備えられるピストン支持部と、前記ピストン支持部の外側に嵌め付けられてハウジングの内側面に密着されるピストンと、前記ピストン支持部に組付けられるステムと、前記ステムを弾力支持する弾性部材とから構成され、
前記ピストン支持部は、ポリケトン（Ｐｏｌｙｋｅｔｏｎｅ）材質で形成されることを特徴とする、ポリケトン材質の部品を有するポンプが装着された化粧品容器を提供する。
【００１５】
また、前記ポンプは、容器本体の一方の側に備えられ、押しボタンによって押圧されることを特徴とする。
【００１６】
また、前記ポンプの外側にはポンプキャップがさらに備えられることを特徴とする。
【００１７】
また、前記ポンプの固定ブッシュは、ポリケトン（Ｐｏｌｙｋｅｔｏｎｅ）材質で形成されることを特徴とする。
【００１８】
また、前記ポンプのハウジングは、ポリプロピレン（ｐｏｌｙｐｒｏｐｙｌｅｎｅ）材質で形成されることを特徴とする。
【００１９】
また、前記ポンプの吸入バルブとピストンは、低密度ポリエチレン（ＬＤＰＥ：Ｌｏｗ−ｄｅｎｓｉｔｙ  ｐｏｌｙｅｔｈｙｌｅｎｅ）材質で形成されることを特徴とする。
【００２０】
また、前記押しボタンは、ポリプロピレン（ｐｏｌｙｐｒｏｐｙｌｅｎｅ）材質で形成されることを特徴とする。
【００２１】
また、前記ポンプのステムは、固定ブッシュの内周面に密着された状態で上下に移動することを特徴とする。
【発明の効果】
【００２２】
本発明に係るポリケトン材質の部品を有するポンプが装着された化粧品容器は、ポンプの部品のうちの一部を、環境にやさしい素材であるポリケトン（Ｐｏｌｙｋｅｔｏｎｅ）材質で形成することで、既存の材質として使用されたポリアセタール（ＰＯＭ：Ｐｏｌｙｏｘｙｍｅｔｈｙｌｅｎ、Ｐｏｌｙａｃｅｔａｌ）の原料であるホルムアルデヒド（ｆｏｒｍａｌｄｅｈｙｄｅ）から発生される悪臭及び有害性の問題を除去し、使用者に不快感または刺激を与えなくなることによって、使用者が安全に使用することができるという効果がある。
【００２３】
また、本発明に係る、ポリケトン材質の部品を有するポンプが装着された化粧品容器は、ポンプの一部の部品のうち、ステムと固定ブッシュとピストン支持部とを、耐磨耗性が既存の材質よりも優れたポリケトン（Ｐｏｌｙｋｅｔｏｎｅ）材質で形成することで、前記ポンプを長期間使用してもポンプの部品間の摩擦によって摩耗されることを防止するので、ポンプの部品同士の間に密閉力と圧縮力が安定して維持されて、持続的に化粧料が定量排出されることによって、再使用が可能であるという効果がある。
【図面の簡単な説明】
【００２４】
【図１】従来の化粧品用ポンプである。
【図２】本発明に係る化粧品容器の斜視図である。
【図３】本発明に係る化粧品容器の分解斜視図である。
【図４】本発明に係る化粧品容器の断面図である。
【図５】本発明に係る化粧品容器の部分断面図である。
【図６】本発明に係る化粧品容器の押しボタンを押圧して、化粧料が外部に排出される様子を示す断面図である。
【図７】本発明に係る化粧品容器の押しボタンの押圧が解除されて、化粧料がハウジング内部に吸入される様子を示す断面図である。
【発明を実施するための形態】
【００２５】
本発明と本発明の実施によって達成される技術的課題は、次いで説明する、好ましい実施例によって明確になるであろう。以下、添付の図面を参照して、本発明に係る、ポリケトン材質の部品を有するポンプが装着された化粧品容器の一実施例について、詳細に見てみるならば次の通りである。
【００２６】
図２は本発明に係る化粧品容器の斜視図であり、図３は本発明に係る化粧品容器の分解斜視図であり、図４は本発明に係る化粧品容器の断面図であり、図５は本発明に係る化粧品容器の部分断面図である。
【００２７】
本発明に係る、ポリケトン材質の部品を有するポンプが装着された化粧品容器は、化粧料を外部にポンピングするポンプ１０が設けられた化粧品容器において、前記ポンプ１０は、一側に化粧料吸入口１１１が形成されたハウジング１１と、前記ハウジング１１の化粧料吸入口１１１を開閉する吸入バルブ１２と、前記ハウジング１１に固定されて組付けられる固定ブッシュ１３と、前記ハウジング１１内側に形成されるピストン支持部１４と、前記ピストン支持部１４の外側に嵌められてハウジング１１の内側面に密着されるピストン１５と、前記ピストン支持部１４に組付けられるステム１６と、前記ステム１６を弾力支持する弾性部材１７から構成される。
【００２８】
前記ポンプ１０は、図４に示したように、容器本体２０の一側に設けられ、押しボタン３０によって押圧される。
【００２９】
前記容器本体２０は、内部に液状またはゲル状の化粧料が収容されて、上端部が開放された形態である。
【００３０】
前記容器本体２０の上端部の内周面には組付穴（組付用の溝、凹部または孔）２２が形成され、前記組付穴２２の下方には離脱防止・掛け止め段部２１が形成される。
【００３１】
前記容器本体２０の底には、外部空気が容器本体２０の内側に流入されるようにする空気流通穴２４が形成される。
【００３２】
前記容器本体２０の内側には押し板２６が形成されるが、前記押し板２６は、容器本体２０の内周面に密着され、前記容器本体２０の内側に収容された化粧料が、外部に吐出されて消尽された分だけ、上方へと移動する。
【００３３】
前記押しボタン３０は、ポンプ１０の上端部に備えられ、前記ポンプ１０を押圧することで作動させることとなる。
【００３４】
前記押しボタン３０の一方の側には、化粧料を外部に排出させる排出口３２が形成されており、前記排出口３２の内側には、化粧料を排出口３２に移動させる排出流路３４が形成されてポンプ１０と連結される。
【００３５】
前記押しボタン３０においては、図４に示すように、下側内壁３６が下側へと延長形成され、前記下側内壁３６の外側へと一定の間隔で離隔されて、下側外壁３８が下側へと延長形成される。
【００３６】
前記押しボタン３０の下側内壁３６は、ポンプ１０のステム１６に組付けられ、前記ポンプ１０を下側へと移動させることとなる。
【００３７】
前記押しボタン３０は、ポリプロピレン（ｐｐ：ｐｏｌｙｐｒｏｐｙｌｅｎｅ）材質で形成されることが好ましい。
【００３８】
前記容器本体１０の上側には、ポンプキャップ４０がさらに備えられてポンプ１０の外側を覆うこととなる。
【００３９】
前記ポンプキャップ４０の下端部は、容器本体１０の上端部に固定されて組付けられ、前記ポンプキャップ４０の上部の内側にて押しボタン３０が上下に移動する。
【００４０】
前記ポンプキャップ４０においては、図４に示すように、上側内壁４２が上側へと延長形成され、前記上側内壁４２の外側へと一定の間隔で離隔されて上側外壁４４が形成され、前記上側内壁４２と上側外壁４４を連結する連結板４６が水平に延長形成される。
【００４１】
前記ポンプキャップ４０の上側内壁４２の内側には、貫通孔４１が形成されて、ポンプ１０が設置される。
【００４２】
前記上側外壁４４の下端は、容器本体１０の離脱防止掛け止め部２１に据え置かれて容器本体１０の内側へと落ち込まないようになっており、上側外壁４４の下端部の外周面には、組付・リング状突起４４２が形成されて容器本体１０の組付穴２２に組付けられる。
【００４３】
前記ポンプ１０は、容器本体２０と隣接して設置され、前記容器本体１０に収容された液状またはゲル状の化粧料を、ポンピングして外部へと排出させる。
【００４４】
前記ポンプ１０は、図５に示すように、一方の側に、化粧料吸入口１１１が形成されたハウジング１１と、前記ハウジング１１の化粧料吸入口１１１を開閉する吸入バルブ１２と、前記ハウジング１１に固定されて組付けられる固定ブッシュ１３と、前記ハウジング１１の内側に備えられて前記ハウジング１１の内側または外側へと移動するピストン支持部１４と、前記ピストン支持部１４の外側に嵌め付けられてハウジング１１の内側面に密着されるピストン１５と、前記ピストン支持部１４に組付けられるステム１６と、前記ステム１６を弾力支持する弾性部材１７とから構成される。
【００４５】
前記ハウジング１１は、ポンプキャップ４０の貫通孔４１を貫通して組付けられて、前記ハウジング１１の化粧料吸入口１１１は、容器本体１０の内側を向くように位置する。
【００４６】
前記ハウジング１１は、ポリプロピレン（ｐｐ：ｐｏｌｙｐｒｏｐｙｌｅｎｅ）材質で形成されることが好ましい。
【００４７】
前記ハウジング１１の外周面には、据え付け・掛け止め部１１２が形成されてポンプキャップ４０の上側内壁４２の上端に据え付けられ、図４に示したように、前記据え付け・掛け止め部１１２と、上側内壁４２との間には、容器本体２０の密閉力向上のために密閉リング５０がさらに備えられてもよい。
【００４８】
前記ハウジング１１の化粧料吸入口１１１には吸入バルブ１２が備えられるが、前記吸入バルブ１２は、容器本体１０の内部に収容された化粧料について、ハウジング１１へと流入させるか、または、流入を遮断する役割をする。
【００４９】
前記固定ブッシュ１３は、図５に示したように、ハウジング１１の上部に組付けられて前記ハウジング１１の内部を密閉するとともに、ステム１６の外周面を包み込むようにして、前記ステム１６が揺れることなく垂直に移動することができるように案内することとなる。
【００５０】
前記ピストン支持部１４は、ハウジング１１の内側にて上下に移動されるのであり、外周面にはハウジングに一時貯蔵された化粧料が通過する流入通路１４２が形成されるのであって、下端部にはピストン１５が下側へと抜け落ちないようにする掛け止め部１４４が形成される。
【００５１】
前記ピストン１５は、ピストン支持部１４の外側に嵌め付けられて前記ピストン支持部１４と共に上下に移動する。前記ポンプ１０の吸入バルブ１２とピストン１５は、伸縮性を有する低密度ポリエチレン（ＬＤＰＥ：Ｌｏｗ−ｄｅｎｓｉｔｙ  ｐｏｌｙｅｔｈｙｌｅｎｅ）材質で形成されることが好ましい。
【００５２】
前記ステム１６は、押しボタン３０とピストン支持部１４とを連結して、押しボタン３０の垂直運動をピストン支持部１４に伝達することとなる。
【００５３】
図４に示したように、前記ステム１６の上部は押しボタン３０の下側内壁３６に組付けられ、下部はピストン支持部１４に組付けられる。
【００５４】
前記ステム１６は、ハウジング１１内の密閉力を維持することができるように、固定ブッシュ１３の内周面に密着された状態で上下に移動する。
【００５５】
前記ステム１６とピストン支持部１４は、従来、ポリアセタール（ＰＯＭ：Ｐｏｌｙｏｘｙｍｅｔｈｙｌｅｎ、Ｐｏｌｙａｃｅｔａｌ）材質で形成されていたが、本発明では、後述する問題点を除去するためにポリケトン（Ｐｏｌｙｋｅｔｏｎｅ）材質で形成した。
【００５６】
前記ポリケトン（Ｐｏｌｙｋｅｔｏｎｅ）とは、一酸化炭素とエチレン、プロピレンからなる高分子新素材であり、環境親和性（ｅｎｖｉｒｏｎｍｅｎｔ  ｆｒｉｅｎｄｌｙ）、耐磨耗性（ｗｅａｒ  ｒｅｓｉｓｔａｎｃｅ）、耐薬品性（酸、油、塩基、水分に対して安定的な特性）、耐衝撃性（ｉｍｐａｃｔ  ｒｅｓｉｓｔａｎｃｅ）、耐スクラッチ性（ｓｃｒａｔｃｈ低減）などに優れた素材である。
【００５７】
すなわち、従来のステム１６とピストン支持部１４の材質に使用されるポリアセタール（ＰＯＭ：Ｐｏｌｙｏｘｙｍｅｔｈｙｌｅｎ、Ｐｏｌｙａｃｅｔａｌ）は、原料にホルムアルデヒド（ｆｏｒｍａｌｄｅｈｙｄｅ）が含まれているため有害性の問題が生じるのであり、前記ホルムアルデヒド（ｆｏｒｍａｌｄｅｈｙｄｅ）によって悪臭が発生して化学品である化粧料と接触することとなり、化粧品容器を長期間使用せずにいてから使用する場合、ホルムアルデヒド（ｆｏｒｍａｌｄｅｈｙｄｅ）の悪臭が化粧料と共に排出されて使用者に不快感または刺激を与えるという問題点があったのであり、また、長期間の使用時に部品間の摩擦によって摩耗し、これにより、ポンプの部品間の密閉力が減少し圧縮力が低下することで、化粧料の定量排出が困難になり、再使用することができないという問題点があった。
【００５８】
したがって、本発明に係る化粧品容器は、ポンプ１０におけるステム１６及びピストン支持部１４のうちいずれか一つ、またはステム１６及びピストン支持部１４を共に、環境にやさしい素材であるポリケトン（Ｐｏｌｙｋｅｔｏｎｅ）材質で形成することで、ホルムアルデヒド（ｆｏｒｍａｌｄｅｈｙｄｅ）から発生されていた悪臭及び有害性の問題を除去することにより、使用者が化粧品容器を安全に使用することができるようにした。
【００５９】
ところが、前記ポンプ１０の作動時、前記ステム１６が上下に移動することで固定ブッシュ１３の内周面と摩擦を起こしてポリケトン（Ｐｏｌｙｋｅｔｏｎｅ）で形成されたステム１６によって前記固定ブッシュ１３が容易に摩耗されるだけでなく、従来ポリアセタール（ＰＯＭ：Ｐｏｌｙｏｘｙｍｅｔｈｙｌｅｎ、Ｐｏｌｙａｃｅｔａｌ）で形成された固定ブッシュ１３からさらに多くのホルムアルデヒド（ｆｏｒｍａｌｄｅｈｙｄｅ）が排出されて、肌に塗布する化粧品の有害性の問題が増幅した。
【００６０】
したがって、本発明では固定ブッシュ１３も環境親和性、耐磨耗性、耐薬品性、耐スクラッチ性などに優れたポリケトン（Ｐｏｌｙｋｅｔｏｎｅ）材質で形成して、長期間の使用時にもポンプ１０の部品間の摩擦によって生じる摩耗を防止し、ホルムアルデヒド（ｆｏｒｍａｌｄｅｈｙｄｅ）が排出されないようにして有害性の問題を解消して、前記ポンプ１０が持続的に定量の化粧料を排出することができるようにした。
【００６１】
上述したように、本発明に係る化粧品容器は、ポンプ１０の一部の部品をポリアセタール（ＰＯＭ：Ｐｏｌｙｏｘｙｍｅｔｈｙｌｅｎ、Ｐｏｌｙａｃｅｔａｌ）よりも摩擦耐磨耗性に優れ、悪臭及び有害性のない環境にやさしい素材のポリケトン（Ｐｏｌｙｋｅｔｏｎｅ）に代替してポンプ１０の使用安定性及び機能性を向上させた。
【００６２】
前記弾性部材１７は、ステム１６を弾力支持し、下端は固定ブッシュ１３の上端に据え付けられ、上端はステム１６の上端部の外周面に形成された突出部１６２と密着される。
【００６３】
本発明の一実施例に係る、ポリケトン材質の部品を有するポンプが装着された化粧品容器の組立方法及び使用状態について、詳細に説明すると次の通りである。
【００６４】
まず、本発明の一実施例に係るポリケトン材質の部品を有するポンプが装着された化粧品容器を組み立てるために、図３と図４に示すように、容器本体２０の内側に押し板２６を挿入し、前記容器本体２０の内部に液状またはゲル状の化粧料を充填する。
【００６５】
次に、前記容器本体２０の上部にポンプキャップ４０を組付けるが、前記ポンプキャップ４０の組付・リング状突起４４２と容器本体１０の組付穴２２とが互いに組付けられることとなる。
【００６６】
次に、前記ポンプキャップ４０の貫通孔４１に、図５に示したように、ハウジング１１と、吸入バルブ１２と、固定ブッシュ１３と、ピストン支持部１４と、ピストン１５と、ステム１６と、弾性部材１７とから構成されたポンプ１０を設置するのであり、前記ポンプキャップ４０とハウジング１１との間に、密閉リング５０がさらに備えられる場合、前記密閉リング５０を、ポンプ１０のハウジング１１の外側に嵌め付けた後、前記ポンプ１０をポンプキャップ４０の貫通孔４１に装着する。
【００６７】
最後に、前記ポンプ１０のステム１６の上部に押しボタン３０を組付けることで、本発明の一実施例に係る、ポリケトン材質の部品を有するポンプが装着された化粧品容器の組立を完了する。
【００６８】
図６は、本発明に係る化粧品容器の押しボタンを押圧して、化粧料が外部に排出される様子を示す断面図であり、図７は、本発明に係る化粧品容器の押しボタンの押圧が解除されて、化粧料がハウジングの内部に吸入される様子を示す断面図である。
【００６９】
上記のような方法で組み立てられた、ポリケトン材質の部品を有するポンプが装着された化粧品容器を使用するためには、まず、図６に示すように、押しボタン３０を押して、前記押しボタン３０に組付けられたポンプ１０のステム１６を、下側へと移動させる。
【００７０】
前記ポンプ１０のステム１６が下側へと移動する際に、前記ステム１６の下部に組付けられたピストン支持部１４が、共に下側へと移動することとなる。
【００７１】
この際、前記ポンプ１０のピストン１５は、ハウジング１１の内側面に密着されているため、図６の部分拡大図面に示すように、前記ピストン支持部１４のみ下側に移動することで、ピストン支持部１４とピストン１５との間に隙間が発生して化粧料の排出通路が生じる。
【００７２】
その後、押しボタン３０を押し続けると、前記押しボタン３０によって下側へと移動を続けていたステム１６の下端が、ピストン１５を押し、前記ピストン１５がピストン支持部１４と共に下側に移動することで、ハウジング３１の内部の体積が減少することとなる。これに伴い、ハウジング１１内の吐出圧力によって、吸入バルブ１２が化粧料吸入口１１１を閉鎖させるとともに、ハウジング１１内に収容されていた化粧料が、ピストン支持部１４とピストン１５との間へと出て来て、ピストン支持部１４の流入通路１４２を通過した後、前記押しボタン３０の排出流路３４を通って排出口３２へと排出される。
【００７３】
その後、図７に示すように、押しボタン３０の押圧を解除すると、ポンプ１０のステム１６を弾力支持する弾性部材１７の弾性によって、前記ステム１６が上側へと移動することとなり、前記ステム１６の下側に組付けられているピストン支持部１４も上側へと移動することとなる。この際、前記ピストン支持部１４の掛け止め部１４４がピストン１５を上に引き上げ、ピストン支持部１４とピストン１５との間の隙間が塞がってから、前記ピストン支持部１４とピストン１５が共に上側へと移動することとなるのであり、これに伴い、ハウジング１１内部の体積が大きくなって、真空圧が発生することとなる。
【００７４】
その後、前記ハウジング１１の内部に発生した真空圧によって、吸入バルブ１２が持ち上げられることで、ハウジング１１の底面に形成された化粧料吸入口１１１が開放され、容器本体２０の内部に収容されていた化粧料が、図７の部分拡大図面に示すように、化粧料吸入口１１１を通じてハウジング１１の内部へと流入するのであり、これと同時に、前記容器本体２０の内部に備えられた押板２６が、外部に排出された化粧料の分だけ、上方へと移動することとなる。
【００７５】
以上、本発明で説明したことは、ポリケトン材質の部品を有するポンプが装着された化粧品容器を実施するための一つの実施例に過ぎず、本発明は、前記実施例に限定されるものではない。添付の請求の範囲で請求するように、本発明の要旨を逸脱せずに、当該発明が属する分野にて通常の知識を有する者であれば誰でも多様な変更実施が可能である範囲まで、本発明の範囲に属するものとみなされなければならない。
【符号の説明】
【００７６】
１０  ポンプ
１１  ハウジング
１２  吸入バルブ
１３  固定ブッシュ
１４  ピストン支持部
１５  ピストン
１６  ステム
１７  弾性部材
２０  容器本体
３０  押しボタン
４０  ポンプキャップ
５０  密閉リング
【図１】
2021506547.tif 000003
【図２】
2021506547.tif 000004
【図３】
2021506547.tif 000005
【図４】
2021506547.tif 000006
【図５】
2021506547.tif 000007
【図６】
2021506547.tif 000008
【図７】
2021506547.tif 000009
【国際調査報告】
2021506547.tif 000010
2021506547.tif 000011
2021506547.tif 000012
2021506547.tif 000013
2021506547.tif 000014
2021506547.tif 000015
2021506547.tif 000016
2021506547.tif 000017